(57)【要約】【課題】組み付け作業性を容易にするとともに安定性を向上させた収納用什器を提供する。【解決手段】収納用什器１０は、側板６０と、底板４０と、背板９０と、で構成される収納ユニット３０を備える。側板６０の上下の端部には、水平方向に延設される側板接合部６５が配設され、側板接合部６５には、上下方向に貫通する長孔として形成された下係止孔６６、上係止孔６７が配設され、底板４０の左右の端部には、水平方向に延設される底板接合部４２が配設され、底板接合部４２には、下係止孔６６に挿入可能な上係止片５４が配設される。下係止孔６６に上係止片５４が挿入され、下係止孔６６の一端側で、下係止孔６６と下係止片５１が当接することで、底板４０の下係止孔６６の一端側への移動が規制され、係止バー部９１と、横板部係止孔４８が係止されることで、底板４０の下係止孔６６への他端側への移動が規制される。【選択図】図１９
2019180538.tif 000002
【特許請求の範囲】
【請求項１】
一対の側板と、
前記側板の下端部どうしを連結する底板と、
前記側板の後端部どうしを連結する背板と、
で構成される少なくとも一つの収納ユニットを備える収納用什器であって、
前記側板の上下の端部には、水平方向に延設される側板接合部が配設され、前記側板接合部には、上下方向に貫通する長孔として形成された係止孔が配設され、
前記底板の左右の端部には、水平方向に延設される底板接合部が配設され、前記底板接合部には、前記係止孔に挿入可能な係止片が配設され、
前記係止孔に前記係止片が挿入され、前記係止孔の一端側で、前記係止孔と前記係止片とが当接することで、前記底板の前記係止孔の一端側への移動が規制され、
前記背板に配設される背板係止部と、前記底板接合部に配設される底板係止部とが係止されることで、前記底板の前記係止孔の他端側への移動が規制されることを特徴とする収納用什器。
【請求項２】
キャスターと、前記キャスターが取り付けられる台車フレームと、を有し前記収納ユニットの下側に配される台車を備え、
前記台車フレームには、上下方向に貫通する長孔として形成された台車係止孔が配設され、
前記台車の上側において隣接する前記収納ユニットの前記底板接合部には、前記台車係止孔に挿入可能な台車係止片が配設され、
前記台車係止孔に前記台車係止片が挿入され、前記台車係止孔の一端側で、前記台車係止孔と前記台車係止片とが当接することで、前記台車係止孔の一端側への移動が規制され、
前記背板に配設される前記背板係止部と、前記台車フレームに配設される台車係止部とが係止されることで、前記台車フレームの前記台車係止孔の他端側への移動が規制されることを特徴とする請求項１記載の収納用什器。
【請求項３】
上下方向に複数の前記収納ユニットを備え、
上段側に位置する前記収納ユニットの前記底板接合部の下面から下係止片が突出して配設され、
下段側に位置する前記収納ユニットの上側の前記側板接合部の前記係止孔に前記下係止片が挿入され、前記係止孔の一端側で、前記係止孔と前記下係止片とが当接することで、前記底板の前記係止孔の一端側への移動が規制され、
上段側に位置する前記背板に配設される背板係止部と、下段側に位置する前記収納ユニットの上側の前記側板接合部に配設される側板係止部とが係止されることで、上段側に位置する前記底板の前記係止孔の他端側への移動が規制されることを特徴とする請求項１又は２記載の収納用什器。
【請求項４】
前記下係止片は、垂直部と前記垂直部の下端から延びる水平部と、を有して略Ｌ字状に形成され、
下段側に位置する前記収納ユニットの上側の前記側板接合部の前記係止孔の近傍には、組み付けられた状態において、前記水平部と接触可能な凸部が配設されていることを特徴とする請求項３記載の収納用什器。
【請求項５】
下側に位置する前記収納ユニットの前記側板の内側となる面には、内側に突出する位置決め凸部が配設され、
上側に位置する前記収納ユニットの前記底板接合部は、水平方向に延びる横板部と、前記横板部から下側に延びる縦板部とを有して略Ｌ字状に形成され、前記縦板部には位置決め孔が配設され、
前記位置決め孔内に前記位置決め凸部が嵌め込み可能とされていることを特徴とする請求項３又は４記載の収納用什器。
【発明の詳細な説明】
【技術分野】
【０００１】
本発明は、被収納物を収納可能な収納用什器に関するものである。
【背景技術】
【０００２】
従来の商品陳列台として、特許文献１に記載されるものがあった。これによれば、一対の下枠材及び上枠部材を平行に配置し、側面に略コの字状の枠を形成し、この側面枠に鉄筋を縦横に溶接して形成される側面格子板をビス止めして取り付けていた。さらに、鉄筋を縦横に溶接して形成される、背面格子板及び底面格子板の、鉤形折曲部を側面格子板の横筋に係合させて構成されていた。
【先行技術文献】
【特許文献】
【０００３】
【特許文献１】特開昭５２−６０２９５号公報
【発明の概要】
【発明が解決しようとする課題】
【０００４】
しかし、上記の商品陳列台では、側面格子板は、側面枠にビス止めされるため組み付け作業が困難であり、背面格子板及び底面格子板は、各鉤形折曲部を側面格子板の横筋に係合させるのみであるので、ガタつきが生じて設備としての安定性に問題があった。
【０００５】
本発明は、上記事情に鑑み、組み付け作業性を容易にするとともに安定性を向上させた収納用什器を提供するものである。
【課題を解決するための手段】
【０００６】
請求項１記載の発明では、一対の側板と、
前記側板の下端部どうしを連結する底板と、
前記側板の後端部どうしを連結する背板と、
で構成される少なくとも一つの収納ユニットを備える収納用什器であって、
前記側板の上下の端部には、水平方向に延設される側板接合部が配設され、前記側板接合部には、上下方向に貫通する長孔として形成された係止孔が配設され、
前記底板の左右の端部には、水平方向に延設される底板接合部が配設され、前記底板接合部には、前記係止孔に挿入可能な係止片が配設され、
前記係止孔に前記係止片が挿入され、前記係止孔の一端側で、前記係止孔と前記係止片とが当接することで、前記底板の前記係止孔の一端側への移動が規制され、
前記背板に配設される背板係止部と、前記底板接合部に配設される底板係止部とが係止されることで、前記底板の前記係止孔の他端側への移動が規制される。
【０００７】
これによれば、係止孔と係止片とが当接することで、底板の係止孔の一端側への移動が規制されるとともに、底板の位置決めすることができ、背板係止部と、底板接合部に配設される底板係止部とを係止することで、底板の係止孔の他端側への移動が規制されるので、組み付け作業性を容易にするとともに安定性を向上させた収納用什器を提供することが可能となる。
【０００８】
また、キャスターと、前記キャスターが取り付けられる台車フレームと、を有し前記収納ユニットの下側に配される台車を備え、
前記台車フレームには、上下方向に貫通する長孔として形成された台車係止孔が配設され、
前記台車の上側において隣接する前記収納ユニットの前記底板接合部には、前記台車係止孔に挿入可能な台車係止片が配設され、
前記台車係止孔に前記台車係止片が挿入され、前記台車係止孔の一端側で、前記台車係止孔と前記台車係止片とが当接することで、前記台車係止孔の一端側への移動が規制され、
前記背板に配設される前記背板係止部と、前記台車フレームに配設される台車係止部とが係止されることで、前記台車フレームの前記台車係止孔の他端側への移動が規制される。
【０００９】
これによれば、台車と、収納ユニットの組み付けについても、組み付け作業性を容易にするとともに安定性を向上させることが可能となる。
【００１０】
また、上下方向に複数の前記収納ユニットを備え、
上段側に位置する前記収納ユニットの前記底板接合部の下面から下係止片が突出して配設され、
下段側に位置する前記収納ユニットの上側の前記側板接合部の前記係止孔に前記下係止片が挿入され、前記係止孔の一端側で、前記係止孔と前記下係止片とが当接することで、前記底板の前記係止孔の一端側への移動が規制され、
上段側に位置する前記背板に配設される背板係止部と、下段側に位置する前記収納ユニットの上側の前記側板接合部に配設される側板係止部とが係止されることで、上段側に位置する前記底板の前記係止孔の他端側への移動が規制される。
【００１１】
これによれば、上下方向に複数の収納ユニットを配する場合であっても、組み付け作業性を容易にするとともに安定性を向上させることが可能となる。
【００１２】
また、前記下係止片は、垂直部と前記垂直部の下端から延びる水平部と、を有して略Ｌ字状に形成され、下段側に位置する前記収納ユニットの上側の前記側板接合部の前記係止孔の近傍には、組み付けられた状態において、前記水平部と接触可能な凸部が配設されている。
【００１３】
これによれば、水平部と凸部を接触させることで、収納ユニットどうしのガタつきを抑制して、上下方向に複数の収納ユニットを配しても、安定性を向上させた収納用什器を提供することが可能となる。
【００１４】
また、下側に位置する前記収納ユニットの前記側板の内側となる面には、内側に突出する位置決め凸部が配設され、上側に位置する前記収納ユニットの前記底板接合部は、水平方向に延びる横板部と、前記横板部から下側に延びる縦板部とを有して略Ｌ字状に形成され、前記縦板部には位置決め孔が配設され、前記位置決め孔内に前記位置決め凸部が嵌め込み可能とされている。
【００１５】
これによれば、位置決め孔内に位置決め凸部を嵌め込むことで、収納ユニットどうしのガタつきを抑制して、上下方向に複数の収納ユニットを配しても、安定性を向上させた収納用什器を提供することが可能となる。
【図面の簡単な説明】
【００１６】
【図１】本発明における一実施形態の収納用什器が適用される収納用什器の斜視図である。
【図２】同実施形態の収納用什器の正面図である。
【図３】台車の斜視図である。
【図４】台車の平面図である。
【図５】台車の右側面図である。
【図６】底板の斜視図である。
【図７】底板の平面図である
【図８】底板の正面図である。
【図９】底板の右側面図である。
【図１０】側板の斜視図である。
【図１１】側板の側面図である。
【図１２】側板の平面図である。
【図１３】側板の正面図である
【図１４】背板の斜視図である。
【図１５】収納用什器の分解斜視図である。
【図１６】収納用什器の組み付け説明図である。
【図１７】図２のＸＶＩＩ―ＸＶＩＩ線矢視断面図である。
【図１８】図２のＸＶＩＩＩ―ＸＶＩＩＩ線矢視断面図である。
【図１９】台車と収納ユニットの組み付け部分拡大説明図である。
【図２０】収納ユニットどうしの組み付け部分拡大説明図である。
【発明を実施するための形態】
【００１７】
本発明における収納用什器の一実施形態を図面に基づいて説明する。以下の説明では、各図面に付される矢印の、Ｆを前、Ｂを後ろ、Ｒを右、Ｌを左、Ｕを上、Ｄを下、方向とする。
【００１８】
本実施形態では、被収納物として商品が収納される収納用什器１０として適用する場合について説明する。
【００１９】
収納用什器１０は、図１、２、１５等に示すように、台車２０と、収納ユニット３０と、を備えている。
【００２０】
台車２０は、図３〜５に示すように、台車フレーム２１と、キャスター２６と、を有している。
【００２１】
台車フレーム２１は、金属製で、矩形角筒状に形成され、一対の横フレーム部２２と、横フレーム部２２の前端どうしを連結する前フレーム部２３と、を有して、平面視において、後側が開口する略コの字状に形成されている。
【００２２】
台車フレーム２１には、長孔として形成された台車係止孔２４が配設されている。本実施形態では、台車係止孔２４は、一対の横フレーム部２２の上面に、前後方向に長い長方形状の貫通孔として形成され、前後方向に沿って二か所設けられている。
【００２３】
また、横フレーム部２２の後部には、横フレーム部２２の上面を貫通する貫通孔として形成された、台車係止部としての挿通孔２５が設けられている。挿通孔２５は、背板９０の係止バー部９１を挿通可能とされている。
【００２４】
キャスター２６は、横フレーム部２２の後端部と、横フレーム部２２と前フレーム部２３の境界部分に、上下方向を回動軸として合計四つ取り付けられている。
【００２５】
収納ユニット３０（区別するときには、収納ユニット３０Ａ、収納ユニット３０Ｂとする）は、図１、２、６〜１８等に示すように、底板４０と、一対の側板６０と、背板９０と、を備えている。
【００２６】
底板４０は、図６〜９に示すように、金属製の線状部材が、前後左右方向において交差する格子状に形成された格子本体４１を有している。格子本体４１の左右の端部には、水平方向に延設される底板接合部４２が配設されている。
【００２７】
底板接合部４２は、水平方向に延びる横板部４３と、横板部４３の内側から下側に延びる縦板部４４と、を有して、前後方向からみて、それぞれ略Ｌ字状に形成されている。
【００２８】
縦板部４４の前後方向における中央部には、前後方向に長い長方形状の貫通孔として形成された位置決め孔４５がそれぞれ配設されている。
【００２９】
縦板部４４の位置決め孔４５の後方内側には、図示しない貫通孔が設けられ、当該貫通孔に対応するように、固定ナット４６が取り付けられている。
【００３０】
横板部４３の、下面には下係止片５１が、上面には上係止片５４が、配設されている。
【００３１】
下係止片５１は、金属製で、図９、１９、２０等に示すように、垂直部５２と、垂直部５２の下端から後方に延びる水平部５３と、を有して、左右方向からみて、略Ｌ字状に形成されている。
【００３２】
上係止片５４は、金属製で、図９、１９、２０等に示すように、垂直部５５と、垂直部５５の上端から前方に延びる水平部５６と、を有して、左右方向からみて、略Ｌ字状に形成されている。
【００３３】
本実施形態では、下係止片５１と上係止片５４は、垂直部５２の上端部と、垂直部５５の下端部とを連結する連結片５７を有する一体形成された係止片部材５０を用いて形成されている。係止片部材５０は、横板部４３に設けられたスリット４７に指し込まれ、連結片５７と横板部４３の下面とを対向させて配置し、連結片５７と横板部４３とをスポット溶接等して取り付けられている。係止片部材５０は、横板部４３の、前部と、後部に二か所ずつ配設されている。
【００３４】
横板部４３の後端部には、上下方向に貫通する貫通孔として形成された横板部係止孔４８が設けられている。横板部係止孔４８は、後述する係止バー部９１を挿入可能とされている。
【００３５】
側板６０は、図１等に示すように、同一の構成で、裏返して配置することで、左右の側板６０のいずれにも使用することが可能であるので、右側の側板６０で構成の説明をし、左側の側板６０についての説明は省略する。側板６０は、製造コストの低減、部材の取り間違えを防止することに寄与する。
【００３６】
側板６０は、合成樹脂製で形成され、図１０〜１３に示すように、矩形平板状で前側が略半球板状に突出して形成された本体板６１を有している。本体板６１は、外周縁部から右側に延設されるリブ６２を有している。本実施形態では、本体板６１は、組み付けられた状態において、外側となる側にリブ６２が延設されている。また、符号は付していないが、左右方向に貫通する貫通孔、及び、補強用リブが設けられている。
【００３７】
リブ６２は、側板接合部６５を構成する、下側に位置する下リブ６３と、上側に位置する上リブ６４と、を有している。
【００３８】
下リブ６３、上リブ６４には、上下方向に貫通する長孔として形成された下係止孔６６、上係止孔６７がそれぞれ配設されている。本実施形態では、下係止孔６６、上係止孔６７は、前後方向に長い長孔として形成され、下リブ６３、上リブ６４の前部と後部に二か所ずつ設けられている。下係止孔６６、上係止孔６７は、係止片部材５０の水平部５３、水平部５６を通過可能とするため、水平部５３、水平部５６の面積より開口面積が大きく形成されている。
【００３９】
下リブ６３、上リブ６４の後端部には、後方に延びるガイドリブ６８、６９がそれぞれ設けられている。ガイドリブ６８、６９には、上下方向からみて、半長孔形状に切り欠かれた係止バー部ガイド７０、７１が設けられている。係止バー部ガイド７０、７１は、後述する係止バー部９１をガイドするものである。
【００４０】
本体板６１の上下の端部の、前後方向における係止孔の中間部分には、略コの字状のスリット７２が形成されている。スリット７２で囲まれる領域には、組み付けられた状態において、外面となる側の面（図１０における右側の面）には、外側に半円環状に突出して形成されたリング部７３が設けられ、内面となる面（図１０における左側の面）には、内側に突出する位置決め凸部７４が設けられている。位置決め凸部７４は、前側から後側に行くにしたがって、突出高さが高くなるように形成されている。
【００４１】
位置決め凸部７４は、位置決め孔４５に嵌め込み可能とされている。リング部７３は、嵌め込まれた位置決め凸部７４を、リング部７３を手で引っ張って位置決め孔４５から外すものである。
【００４２】
後リブ７５から、平板状の後部接合部７６が後方に延設されている。後部接合部７６には、後部接合部７６の後端面から前端側に向かって、切り欠かれた側板規制部７９が設けられている。
【００４３】
本実施形態では、側板規制部７９は、横部７７と、横部７７の前端から上下方向に延びる縦部７８と、を有して略Ｔ字状に形成されている。縦部７８の上下方向における端部で、後述する側板係止バー部９２と係止可能とされている。側板規制部７９は、側板６０の前後方向における移動を規制するものである。
【００４４】
後リブ７５から、後方に略扇形板状に突出する、ストッパリブ８０が上下方向に沿って四か所設けられている。ストッパリブ８０は、ガイドリブ６８、６９とで、後述する係止バー部９１が設けられた背板９０の、左右方向の両端部に位置する縦線状部材９３の移動を規制するものである。
【００４５】
下リブ６３、上リブ６４の内面の、下係止孔６６、上係止孔６７の後側近傍には、組み付けられた状態において、下係止片５１の水平部５３、上係止片５４の水平部５６と接触可能な凸部８１がそれぞれ配設されている。
【００４６】
凸部８１は、上段側に位置する、収納ユニット３０の、底板４０の底板接合部４２の、下係止片５１の水平部５３と接触して、隣接する上下段の収納ユニット３０どうしが、ガタつかないようにするものである。
【００４７】
背板９０は、金属製の線状部材が、上下左右方向において交差する格子状に形成されている。背板９０を構成する上下方向に延びて、左右方向の両端部に位置する縦線状部材９３は、他の部分より下方に延設された係止バー部９１を有している、係止バー部９１は、横板部係止孔４８、係止バー部ガイド７０、７１に挿通可能とされている。
【００４８】
背板９０を構成する左右方向に延びて、上下方向の両端部の線状部材を除く、三本の線状部材は、他の部分より左右方向に延設された側板係止バー部９２を有している。側板係止バー部９２は、側板規制部７９に進入可能に形成されている。
【００４９】
なお、一対の側板６０の前端部の下部には、前面パネル１００が架け渡されるように配設されているが、図１以外では、省略している。
【００５０】
本実施形態における、収納用什器１０組み付け態様を説明する。まず、収納ユニット３０の組付けについて説明する。図１６、１９、２０に示すように、側板６０の側板規制部７９に、背板９０の側板係止バー部９２を進入させ、側板規制部７９の縦部７８の下端部で係止させる。これにより、側板６０、背板９０の位置が決まるとともに、側板６０、背板９０は、前後方向への移動が規制される。
【００５１】
そして、底板４０の底板接合部４２と、側板６０の側板接合部６５を、上下方向において、重ね合わせるようにして、下係止孔６６に上係止片５４を挿入して側板６０を後ろ側に押し込む。このとき、下係止孔６６は、上係止片５４の水平部５６より大きめの長孔であるので挿入作業はし易くなっている。上係止片５４の垂直部５５が下係止孔６６の前端部と当接して、底板４０、側板６０の位置が決まるとともに、底板４０は前側への移動、側板６０は、後側への移動、が規制される。また、水平部５６は、下リブ６３と接触して、側板６０の上下方向への移動を規制している。
【００５２】
さらに、側板６０の係止バー部ガイド７０に、背板９０の係止バー部９１をそれぞれ進入させ、係止させる。これにより、底板４０、側板６０の位置が決まるとともに、底板４０、側板６０は、前後方向への移動が規制される。
【００５３】
次に、収納ユニット３０と、台車２０との組み付けを説明する。図１６、１９に示すように、組み付けられた状態の収納ユニット３０の底板４０の底板接合部４２を、横フレーム部２２と重なり合うように配置して、台車係止孔２４に下係止片５１を挿入して、収納ユニット３０を後ろ側に押し込む。この場合、下係止片５１が、特許請求の範囲における台車係止片となる。
【００５４】
下係止片５１の垂直部５２が台車係止孔２４の後端部と当接して、台車２０、底板４０の位置が決まるとともに、台車２０は前側への移動、底板４０は後側への移動、が規制される。
【００５５】
そして、底板４０の台車係止孔２４に、背板９０の係止バー部９１を進入させ、係止させる。これにより、底板４０、側板６０の位置が決まるとともに、底板４０、側板６０は、前後方向への移動が規制される。
【００５６】
次に、上下の収納ユニット同士の組付けを説明する。図１６、２０に示すように、上述した手順で、下側の収納ユニット３０の側板６０の側板接合部６５と、上側の収納ユニット３０の底板４０の底板接合部４２とを、上下方向において重ね合わせるようにして、上係止孔６７に、下係止片５１を挿入して、収納ユニット３０を後ろ側に押し込む。
【００５７】
下係止片５１の垂直部５２が上係止孔６７の後端部と当接して、上側の収納ユニット３０と、下側の収納ユニット３０の位置が決まるとともに、上側の収納ユニット３０は後側への移動、下側の収納ユニット３０は前側への移動、が規制される。
【００５８】
そして、下側の収納ユニット３０の側板６０の係止バー部ガイド７１に、上側の背板９０の係止バー部９１をそれぞれ進入させ、係止させる。これにより、上側の収納ユニット３０と、下側の収納ユニット３０の位置が決まるとともに、上側の収納ユニット３０と、下側の収納ユニット３０は、前後方向への移動が規制される。
【００５９】
さらにこのとき、位置決め凸部７４は、位置決め孔４５に進入して、位置決め凸部７４は、位置決め孔４５に嵌め込まれる。
【００６０】
収納用什器１０を解体する場合には、リング部７３を手で引っ張って、位置決め凸部７４を位置決め孔４５から外した後に、上記と逆の手順で解体することができる。
【００６１】
本実施形態の収納用什器１０では、一対の側板６０と、
側板６０の下端部どうしを連結する底板４０と、
側板６０の後端部どうしを連結する背板９０と、
で構成される少なくとも一つの収納ユニット３０を備える収納用什器であって、
側板６０の上下の端部には、水平方向に延設される側板接合部６５が配設され、側板接合部６５には、上下方向に貫通する長孔として形成された下係止孔６６、上係止孔６７が配設され、
底板４０の左右の端部には、水平方向に延設される底板接合部４２が配設され、底板接合部４２には、下係止孔６６、上係止孔６７に挿入可能な下係止片５１、上係止片５４が配設され、
下係止孔６６、上係止孔６７に下係止片５１、上係止片５４が挿入され、下係止孔６６、上係止孔６７の一端側で、下係止孔６６、上係止孔６７と下係止片５１、上係止片５４とが当接することで、底板４０の下係止孔６６、上係止孔６７の一端側への移動が規制され、
背板９０に配設される背板係止部としての係止バー部９１と、底板接合部４２に配設される底板係止部としての横板部係止孔４８が係止されることで、底板４０の下係止孔６６、上係止孔６７の他端側への移動が規制される。
【００６２】
これによれば、下係止孔６６、上係止孔６７と下係止片５１、上係止片５４とが当接することで、底板４０の下係止孔６６、上係止孔６７の一端側への移動が規制されるとともに、底板４０の位置決めすることができ、係止バー部９１と、底板接合部４２に配設される横板部係止孔４８とを係止することで、底板４０の下係止孔６６、上係止孔６７の他端側への移動が規制されるので、組み付け作業性を容易にするとともに安定性を向上させた収納用什器を提供することが可能となる。
【００６３】
また、キャスター２６と、キャスター２６が取り付けられる台車フレーム２１と、を有し収納ユニット３０の下側に配される台車２０を備え、
台車フレーム２１には、上下方向に貫通する長孔として形成された台車係止孔２４が配設され、
台車２０の上側において隣接する収納ユニット３０の底板接合部４２には、台車係止孔２４に挿入可能な台車係止片としての下係止片５１が配設され、
台車係止孔２４に下係止片５１が挿入され、台車係止孔２４の一端側で、台車係止孔２４と下係止片５１とが当接することで、台車係止孔２４の一端側への移動が規制され、
背板９０に配設される背板係止部としての係止バー部９１と、台車フレーム２１に配設される台車係止部としての挿通孔２５とが係止されることで、台車フレーム２１の台車係止孔２４の他端側への移動が規制される。
【００６４】
これによれば、台車２０と、収納ユニット３０の組み付けについても、組み付け作業性を容易にするとともに安定性を向上させることが可能となる。
【００６５】
また、上下方向に複数の収納ユニット３０を備え、
上段側に位置する収納ユニット３０の底板接合部４２の下面から下係止片５１が突出して配設され、
下段側に位置する収納ユニット３０の上側の側板接合部６５の上係止孔６７に下係止片５１が挿入され、上係止孔６７の一端側で、上係止孔６７と下係止片５１とが当接することで、底板４０の上係止孔６７の一端側への移動が規制され、
上段側に位置する背板９０に配設される背板係止部としての係止バー部９１と、下段側に位置する収納ユニット３０の上側の側板接合部６５に配設される側板係止部としての係止バー部ガイド７０、７１が係止されることで、上段側に位置する底板４０の上係止孔６７の他端側への移動が規制される。
【００６６】
これによれば、上下方向に複数の収納ユニット３０を配する場合であっても、組み付け作業性を容易にするとともに安定性を向上させることが可能となる。
【００６７】
また、下係止片５１は、垂直部５２と垂直部５２の下端から延びる水平部５３と、を有して略Ｌ字状に形成され、下段側に位置する収納ユニット３０の上側の側板接合部６５の上係止孔６７の近傍には、組み付けられた状態において、水平部５３と接触可能な凸部８１が配設されている。
【００６８】
これによれば、水平部５３と凸部８１を接触させることで、収納ユニット３０どうしのガタつきを抑制して、上下方向に複数の収納ユニット３０を配しても、安定性を向上させた収納用什器を提供することが可能となる。
【００６９】
また、下側に位置する収納ユニット３０の側板６０の内側となる面には、内側に突出する位置決め凸部７４が配設され、上側に位置する収納ユニット３０の底板接合部４２は、水平方向に延びる横板部４３と、横板部４３から下側に延びる縦板部４４とを有して略Ｌ字状に形成され、縦板部４４には位置決め孔４５が配設され、位置決め孔４５内に位置決め凸部７４が嵌め込み可能とされている。
【００７０】
これによれば、位置決め孔４５内に位置決め凸部７４を嵌め込むことで、収納ユニット３０どうしのガタつきを抑制して、上下方向に複数の収納ユニット３０を配しても、安定性を向上させた収納用什器を提供することが可能となる。
【００７１】
本発明の収納用什器は上記構成に限定されるものではない。即ち、本発明の要旨を逸脱しない限り各種の設計変更等が可能である。
【００７２】
例えば、台車係止孔２４、下係止孔６６、上係止孔６７を前後方向に長い長孔としたが、左右方向に長い長孔とすることも可能である。
【００７３】
また、収納ユニット３０は、二つで構成したが、二つ以外の数で構成することも可能である。
【００７４】
また、背板係止部としての係止バー部９１と、台車係止部としての横板部係止孔４８との係止状態は、背板係止部を孔とし、横板部係止部を棒状とし、凹凸を逆にすることも可能である。
【００７５】
また、台車フレーム２１、底板４０、背板９０は、金属で、側板６０は、合成樹脂で形成したが、台車フレーム２１、底板４０、背板９０を、合成樹脂で、側板６０を、金属で形成することも可能である。
【符号の説明】
【００７６】
１０  収納用什器
２０  台車
２１  台車フレーム
２４  台車係止孔
２５  挿通孔
２６  キャスター
３０  収納ユニット
３０Ａ  収納ユニット
３０Ｂ  収納ユニット
４０  底板
４２  底板接合部
４５  位置決め孔
４８  横板部係止孔
５１  下係止片
５２  垂直部
５３  水平部
５４  上係止片
６０  側板
６５  側板接合部
６６  下係止孔
６７  上係止孔
７０  係止バー部ガイド
７１  係止バー部ガイド
７４  位置決め凸部
８１  凸部
９０  背板
９１  係止バー部
９２  側板係止バー部
【図１】
2019180538.tif 000003
【図２】
2019180538.tif 000004
【図３】
2019180538.tif 000005
【図４】
2019180538.tif 000006
【図５】
2019180538.tif 000007
【図６】
2019180538.tif 000008
【図７】
2019180538.tif 000009
【図８】
2019180538.tif 000010
【図９】
2019180538.tif 000011
【図１０】
2019180538.tif 000012
【図１１】
2019180538.tif 000013
【図１２】
2019180538.tif 000014
【図１３】
2019180538.tif 000015
【図１４】
2019180538.tif 000016
【図１５】
2019180538.tif 000017
【図１６】
2019180538.tif 000018
【図１７】
2019180538.tif 000019
【図１８】
2019180538.tif 000020
【図１９】
2019180538.tif 000021
【図２０】
2019180538.tif 000022